(57)【要約】  【課題】  画像と共に付加情報をも送受信可能なファクシミリ装置を提供する。  【解決手段】  画像ファイルを入力する画像ファイル入力手段と、入力された画像ファイルに含まれる画像データを抽出して送信用画像データに変換処理する画像データ変換手段１１と、変換された送信用画像データを所定の通信プロトコルで送信処理する送信手段とを備えて構成されるファクシミリ装置であって、前記画像ファイルに含まれる属性データを抽出して送信用レポートデータに変換処理する属性データ変換手段１２を備え、前記送信手段が、前記属性データ変換手段１２により変換された送信用レポートデータを前記画像データ変換手段１１により変換された送信用画像データとともに送信するように構成する。【選択図】  図２
2006157560.tif 000002
【特許請求の範囲】
【請求項１】
画像ファイルを入力する画像ファイル入力手段と、入力された画像ファイルに含まれる画像データを抽出して送信用画像データに変換処理する画像データ変換手段と、変換された送信用画像データを所定の通信プロトコルで送信処理する送信手段とを備えて構成されるファクシミリ装置であって、
前記画像ファイルに含まれる属性データを抽出して送信用レポートデータに変換処理する属性データ変換手段を備え、前記送信手段が、前記属性データ変換手段により変換された送信用レポートデータを前記画像データ変換手段により変換された送信用画像データとともに送信するように構成されているファクシミリ装置。
【請求項２】
前記送信用レポートデータが送信用画像データで構成され、前記送信手段により送信処理される請求項１記載のファクシミリ装置。
【請求項３】
前記送信用レポートデータがコードデータで構成され、前記通信プロトコルのＮＳＳ信号で送信される請求項１記載のファクシミリ装置。
【請求項４】
前記送信手段による前記送信用レポートデータの送信の許否を選択するレポート送信選択手段を備えている請求項１から３の何れかに記載のファクシミリ装置。
【請求項５】
前記属性データ変換手段に、前記属性データから前記送信用レポートデータに変換するデータを選択する属性データ選択手段を備えている請求項１から４の何れかに記載のファクシミリ装置。
【請求項６】
前記属性データが前記画像データのファイル形式データでなる請求項３記載のファクシミリ装置。
【請求項７】
請求項３記載のファクシミリ装置から送信され、所定の通信プロトコルで受信用画像データを受信処理する受信手段と、受信された受信用画像データを記録紙に出力する画像記録手段を備えて構成されるファクシミリ装置であって、
前記通信プロトコルのＮＳＳ信号で受信される送信用レポートデータを解析して前記属性データを生成するレポート解析手段を備え、前記画像記録手段は、前記レポート解析手段により解析された属性データを記録紙に出力するように構成されているファクシミリ装置。
【請求項８】
請求項６記載のファクシミリ装置から送信され、所定の通信プロトコルで受信用画像データを受信処理する受信手段と、受信された受信用画像データを記録紙に出力する画像記録手段を備えて構成されるファクシミリ装置であって、
前記通信プロトコルのＮＳＳ信号で受信される送信用レポートデータを解析して前記属性データを生成するレポート解析手段と、前記受信手段により受信された画像データを前記レポート解析手段により解析されたファイル形式データに基づいた画像ファイルに変換処理するファイル生成手段を備えてあるファクシミリ装置。
【発明の詳細な説明】
【技術分野】
【０００１】
本発明は、画像ファイルを入力する画像ファイル入力手段と、入力された画像ファイルに含まれる画像データを抽出して送信用画像データに変換処理する画像データ変換手段と、変換された送信用画像データを所定の通信プロトコルで送信処理する送信手段とを備えて構成されるファクシミリ装置に関する。
【背景技術】
【０００２】
従来から、デジタル画像の印刷を行うデジタルカメラプリント機能を搭載したファクシミリ装置が提案されている。また、デジタルカメラ等で撮影されたデジタル画像データには、通常当該画像の撮影日時や撮影者名或いはサムネイル画像といった属性情報が付加されている。このデジタル画像データをファクシミリから外部機器に搭載されている記憶媒体への書き込みを可能とした技術も提案されている。
【０００３】
例えば、特許文献１のように、記憶媒体が着脱可能に装着されるファクシミリ装置であって、前記記憶媒体の内容を読み出す読出手段と、前記記憶媒体の内容を解析する解析手段と、前記記憶媒体に書き込む画像を指定する指定手段と、前記指定された画像をＪＰＥＧ方式で圧縮する圧縮手段と、前記指定された画像のサムネイル画像のＪＰＥＧデータを作成する作成手段と、前記指定された画像を前記作成手段を利用して外部装置特有のフォーマットに変換する変換手段と、前記フォーマット変換された画像を前記記憶媒体に書き込む書込手段とを有する構成としたものが提案されている。
【特許文献１】特開２００３−１８３３９号公報
【発明の開示】
【発明が解決しようとする課題】
【０００４】
しかし、ファクシミリ送信する場合には、画像に相当する画像データのみを画像として変換し送信するため、電子データとして付加されている属性情報が送信時に失われてしまい、受信後の画像の取り扱いに不便を生じる場合があった。
【０００５】
本発明の目的は、上述の従来欠点に鑑み、画像と共に付加情報をも送受信可能なファクシミリ装置を提供する点にある。
【課題を解決するための手段】
【０００６】
上述の目的を達成するため、本発明によるファクシミリ装置の第一の特徴構成は、特許請求の範囲の書類の請求項１に記載した通り、画像ファイルを入力する画像ファイル入力手段と、入力された画像ファイルに含まれる画像データを抽出して送信用画像データに変換処理する画像データ変換手段と、変換された送信用画像データを所定の通信プロトコルで送信処理する送信手段とを備えて構成されるファクシミリ装置であって、前記画像ファイルに含まれる属性データを抽出して送信用レポートデータに変換処理する属性データ変換手段を備え、前記送信手段が、前記属性データ変換手段により変換された送信用レポートデータを前記画像データ変換手段により変換された送信用画像データとともに送信するように構成されている点にある。
【０００７】
上述の構成によれば、属性データを抽出することにより画像ファイルに含まれる属性データは失われることがないのである。また、属性データを送信用レポートデータとして送信することにより、画像データと共にその属性データを送信することが可能となるのである。
【０００８】
同第二の特徴構成は、請求項２に記載した通り、上述した第一特徴構成に加えて、前記送信用レポートデータが送信用画像データで構成され、前記送信手段により送信処理される点にある。
【０００９】
上述の構成によれば、送信用レポートデータは、送信用画像データで構成されるため、画像情報として容易に送信ができ、かつ、属性データを確実に送信することが可能となるのである。
【００１０】
同第三の特徴構成は、請求項３に記載した通り、上述した第一特徴構成に加えて、前記送信用レポートデータがコードデータで構成され、前記通信プロトコルのＮＳＳ信号で送信される点にある。
【００１１】
上述の構成によれば、送信用レポートデータはコードデータで構成されるため、ＮＳＳ信号として容易に構成して送信でき、かつ、属性データを確実に送信することが可能となるのである。また、ＮＳＳ信号を使用して属性データを送信することにより、送信データ量の増加を防止することができ、送信時間を短くすることが可能となるのである。
【００１２】
同第四の特徴構成は、請求項４に記載した通り、上述した第一から三のいずれかに記載の特徴構成に加えて、前記送信手段による前記送信用レポートデータの送信の許否を選択するレポート送信選択手段を備えている点にある。
【００１３】
上述の構成とすることにより、属性データが必要な場合には、確実に前記属性データを送信することが可能となるのである。また、属性データが必要のない場合には、属性データを送信しないことにより、送信データ量を小さくし、送信時間を短くすることが可能となるのである。
【００１４】
同第五の特徴構成は、請求項５に記載した通り、上述した第一から四のいずれかに記載の特徴構成に加えて、前記属性データ変換手段に、前記属性データから前記送信用レポートデータに変換するデータを選択する属性データ選択手段を備えている点にある。
【００１５】
上述の構成とすることにより、必要のない属性データのみを省くことができるため、必要な属性データを確実に送信し、かつ、送信データ量を小さくすることで送信時間を短くすることが可能となるのである。
【００１６】
同第六の特徴構成は、請求項６に記載した通り、上述した第三特徴構成に加えて、前記属性データが前記画像データのファイル形式データでなる点にある。
【００１７】
同第七の特徴構成は、請求項７に記載した通り、上述した第三特徴構成を持つファクシミリ装置から送信され、所定の通信プロトコルで受信用画像データを受信処理する受信手段と、受信された受信用画像データを記録紙に出力する画像記録手段を備えて構成されるファクシミリ装置であって、前記通信プロトコルのＮＳＳ信号で受信される送信用レポートデータを解析して前記属性データを生成するレポート解析手段を備え、前記画像記録手段は、前記レポート解析手段により解析された属性データを記録紙に出力するように構成されている点にある。
【００１８】
上述の構成とすることにより、送信されてきた送信用レポートデータから確実に属性情報を生成することができ、前記送信用レポートと共に送信されてきた画像データに対する属性データを容易に確認することが可能となるのである。
【００１９】
同第八の特徴構成は、請求項８に記載した通り、上述した第六特徴構成を持つファクシミリ装置から送信され、所定の通信プロトコルで受信用画像データを受信処理する受信手段と、受信された受信用画像データを記録紙に出力する画像記録手段を備えて構成されるファクシミリ装置であって、前記通信プロトコルのＮＳＳ信号で受信される送信用レポートデータを解析して前記属性データを生成するレポート解析手段と、前記受信手段により受信された画像データを前記レポート解析手段により解析されたファイル形式データに基づいた画像ファイルに変換処理するファイル生成手段を備えてある点にある。
【００２０】
上述の構成とすることにより、送信されてきた画像データを確実に送信時の画像ファイルに変換処理することが可能となるのである。
【発明の効果】
【００２１】
以上説明した通り、本発明によれば、画像と共に付加情報をも送受信可能なファクシミリ装置を提供することができるようになった。
【発明を実施するための最良の形態】
【００２２】
以下に本発明によるファクシミリ装置の実施の形態を説明する。
【００２３】
本発明によるファクシミリ装置１００における通信プロトコル（伝送手順）は、図１に示すようなＩＴＵ−Ｔによって標準化されているバイナリー伝送制御手順に基づいている。ここで、ＣＥＤはファクシミリ回線が接続されたときに着信側から送信側へ受信状態になったことを知らせる信号である。ＮＳＦとＣＳＩとＤＩＳは送信側へ着信側ファクシミリ装置の機能を知らせる信号である。ＮＳＳは送信側から着信側へどのような送信条件で送信するかを知らせる信号である。モデムトレーニングとＴＣＦは送信側から着信側へ画情報を送る前に電話回線の品質チェックを行なうものである。ＣＦＲは着信側から送信側へ当該電話回線で画情報を受けることができることを知らせる信号である。ＥＯＰは着信側から送信側へ画情報の送信が終了したことを知らせる信号である。ＭＣＦは着信側から送信側へ画情報を正常に受けたことを知らせる信号である。ＤＣＮは送信側から着信側へ回線をファクシミリ回線から電話回線に切り替えることを知らせる信号である。
【００２４】
図２は本発明による前記ファクシミリ装置１００の全体構成を示すブロック図である。前記ファクシミリ装置１００は、送信するための原稿や画像を読み取る画像読取部０４と、同じく送信するための画像ファイルを入力する画像ファイル入力部０５と、送信されてきた画像等を記録紙等に記録する画像記録部０６と、画像データ及び受信画像データを記憶する画像メモリ０７と、前記ファクシミリ装置１００への各種の入力操作を行なう操作部０２と、前記ファクシミリ装置１００の各種状態を表示する表示部０３と、デジタル識別信号や画像データの送受信処理等を行う通信処理部０８と、マイクロコンピュータからなり上述した各部の動作を制御して前記ファクシミリ装置１００のファクシミリ機能を制御する制御部０１とを備えて構成されている。尚、前記制御部０１は、前記ファクシミリ 装置１００による画像データの送受信処理を行うための通信プログラムや各種の処理用データが記録されたＲＯＭ（Read Only Memory）と、前記プログラムに従って所定の演算処理を行うためのＲＡＭ（Random Access Memory）とを備えて構成されている。
【００２５】
前記画像読取部０４は、前記ファクシミリ装置１００にセットされた原稿を自動給送する自動原稿給送部、ＣＣＤ（Charge Coupled Device）ラインイメージセンサからなる撮像部及び画像処理部等を備え、撮像部が原稿面を相対的に走査するように原稿を自動給送して当該原稿をライン単位で画像信号に変換して取り込み、この画像信号に所定の信号処理（レベル補正、γ補正等）を施して順次、制御部０１に出力するように構成されている。
【００２６】
前記画像ファイル入力部０５は、ＣＤ、ＣＦカード、ＳＤメモリカード、またはＣＤ−Ｒ、ＤＶＤ等の可搬性の記録媒体に記憶された画像ファイルを読み取るための画像ファイル入力手段としてのメディアドライバによって構成されている。
【００２７】
前記画像記録部０６は、受信画像や前記画像読取部０４で読み取られた原稿や画像或いは前記画像ファイル入力部０５から入力された画像データを記録紙などに記録するもので画像記録手段としてのレーザプリンタ等によって構成されている。
【００２８】
前記表示部０３は、回線接続状態や送信状態等の各種状態及び送信画像等を表示するＬＣＤと、通信エラーの有無、設定モード、受信画質、メモリ受信及びメンテナンスの要否等を表示するＬＥＤとを備えて構成されている。
【００２９】
前記通信処理部０８は、送信する画像データを圧縮及び符号化を行い画像情報に変換するとともに 受信した画像情報の伸長及び復号化を行い画像データとする符号化／復号化部１８と、圧縮／符号化された画像情報の音声信号への変調及び受信した信号（音声信号）の画像情報への復調を行なう変復調部１９と、ＮＣＵ（Network Control Unit）に相当し相手機との電話回線２０の接続を制御する網制御部２０を備えて構成されている。
【００３０】
前記制御部０１は、更に送信データ変換部０９と受信データ変換部１０とを備えて構成されている。
【００３１】
前記送信データ変換部０９は、前記画像ファイル入力部０５から入力された画像ファイルから画像データを抽出して送信用本画像データに変換処理する画像データ変換手段１１と、前記画像ファイルから属性データを抽出して送信用レポートデータに変換処理する属性データ変換手段１２と、前記属性データ変換手段１２が変換する属性データを選択する属性データ選択手段１３と、前記送信用レポートデータの送信の許否を選択するレポート送信選択手段１４とを備えて構成されている。
【００３２】
前記属性データ変換手段１２は、前記画像ファイルがデジタルカメラ等の電子画像データで属性データ（撮影日時や撮影者名等）が付加されている場合にはその属性データを抽出し、また、前記画像ファイルがＰＤＦ形式のような画像データで属性データ（撮影日時や撮影者名等）が付加されていない場合にはそのファイル形式を属性データとして抽出する。
【００３３】
更に前記属性データ変換手段１２は、前記画像ファイルから抽出した属性データを送信用レポートデータとして送信用属性画像データに変換する送信用画像データ変換部と、前記属性データを送信用レポートとして送信用属性コードデータに変換する送信用コードデータ変換部とを備えて構成されている。
【００３４】
前記送信用コードデータは、上述したＩＴＵ−Ｔによって標準化されているバイナリー伝送制御手順のうち、ファクシミリ制御フィールドにおけるＮＳＳ信号に相当するよう変換されたものである。
【００３５】
前記属性データ選択手段１３は、前記操作部０２から予めユーザーによって設定されることにより、前記画像ファイルがデジタルカメラ等の電子画像データで、その属性データが撮影日時や撮影者名等である場合には、複数種ある属性データから送信する必要のある属性データを選択する。例えば、属性データが撮影日時と撮影者名であった場合、撮影日時のみを選択することも可能であるし、撮影日時と撮影者名を選択することも可能となっている。また、前記属性データについて前記属性データ変換手段１３が変換する前記送信レポートデータを前記送信用属性画像データとするか、前記送信用属性コードデータとするかをも選択する。
【００３６】
一方、前記画像ファイルがＰＤＦ形式のような画像データで、その属性データがファイル形式の場合には、前記属性データ変換手段１２は送信用属性コードデータとして変換処理するよう選択する。
【００３７】
前記受信データ変換部１０は、通信プロトコルのＮＳＳ信号で受信される送信用レポートデータを解析し属性データを生成するレポート解析手段１５と、前記通信レポート解析手段１５によって解析された属性データがファイル形式データであった場合に前記ファイル形式に基づいて受信画像データを画像ファイルに変換処理するファイル生成手段とを備えて構成されている。
【００３８】
以下に前記ファクシミリ装置１００を用いた画像ファイルの送信準備段階について図３のフローチャートに基づいて説明する。
【００３９】
前記画像ファイル入力部０５より画像ファイルが入力されると（Ｓ１）、前記画像データ変換手段１１によって前記画像ファイルから画像データが抽出され（Ｓ２）、送信用本画像データに変換処理される（Ｓ３）。また、属性データ変換手段１２によって前記画像ファイルから属性データが抽出される。例えば、前記画像ファイルがデジタルカメラ等の電子画像データであった場合、撮影日時や撮影者名等といった属性データが抽出されることとなる（Ｓ４，Ｓ５）。一方、ＰＤＦ形式のような画像データであった場合には、そのファイル形式が属性データであるとみなされ抽出される（Ｓ４、Ｓ６）。
【００４０】
前記属性データが撮影日時や撮影者名等といった属性データの場合、前記属性データ選択手段１３により必要な属性データが選択され（Ｓ７）、かつ、送信用属性画像データへの変換処理か、送信用属性コードデータへの変換処理かを選択され（Ｓ８）、これに基づいた送信レポートデータに前記画像データ変換処理手段１２によって変換処理される（Ｓ９、Ｓ１０）。
【００４１】
前記属性データがファイル形式の場合、前記属性データ選択手段１３により送信用コードデータへの変換処理が選択され、これに基づいた送信レポートデータに前記画像データ変換処理手段１２によって変換処理される（Ｓ１０）。
【００４２】
前記送信レポートデータは、前記レポート送信選択手段により、その送信を行うか否かの確認が行なわれる（Ｓ１１、Ｓ１２）。
【００４３】
前記送信レポートデータの送信は、前記送信レポートデータが送信用属性画像データの場合、前記送信用本画像データとともに、前記通信処理部０８により、送信する画像情報として圧縮及び符号化処理等が行なわれた後送信される（Ｓ１３、Ｓ１５、Ｓ１６）。また、前記送信レポートデータが送信用属性コードデータの場合、前記送信用本画像データは、前記通信処理部０８により、画像情報として圧縮及び符号化処理等が行なわれた後送信される一方、送信用属性コードデータはＮＳＳ信号として送信される（Ｓ１４、Ｓ１５、Ｓ１６）。
【００４４】
前記送信レポートデータが送信されない場合には、前記送信用本画像データのみが、前記通信処理部０８により、画像情報として圧縮及び符号化処理等が行なわれた後送信される（Ｓ１５、Ｓ１６）。
【００４５】
以下に前記ファクシミリ装置１００を用いた画像ファイルの受信後の処理について図４のフローチャートに基づいて説明する。
【００４６】
前述の画像情報とＮＳＳ信号になっている送信用属性コードデータが、前記通信処理部０８により受信されると（Ｓ１０１）、前記レポート解析手段１５は、前記送信用属性コードデータを解析し（Ｓ１０２）、属性データを生成する（Ｓ１０３）。前記属性データがファイル形式であった場合には、前記通信処理部０８で伸長及び復号化されることにより画像データに変換された画像情報は、前記ファイル生成手段１６によって前記ファイル形式に基づいた画像ファイルに変換される（Ｓ１０４、Ｓ１０５）。
【００４７】
例えば、前記属性データがＰＤＦ形式であった場合には、前記画像情報はＰＤＦ形式の画像ファイルに変換される。
【００４８】
また、前記属性データがファイル形式でない場合には、前記属性データは前記画像記録部０６によって、画像データに変換された画像情報とともに記録紙に出力される（Ｓ１０４、Ｓ１０６）。
【００４９】
例えば、前記属性データが撮影日時及び撮影者名であった場合には、前記画像データとともに、撮影日時及び撮影者名が記録紙に出力される。
【００５０】
また、前記属性データがファイル形式であった場合に、そのファイル形式名を記録紙に出力させる構成としてもよい。
【図面の簡単な説明】
【００５１】
【図１】通信プロトコルの説明図
【図２】本発明におけるファクシミリ装置のブロック構成図
【図３】本発明におけるファクシミリ装置の送信準備段階におけるフローチャート
【図４】本発明におけるファクシミリ装置の受信後の処理におけるフローチャート
【符号の説明】
【００５２】
０１：制御部
０２：操作部
０３：表示部
０４：画像読取部
０５：画像ファイル入力部
０６：画像記録部
０７：画像メモリ
０８：通信処理部
０９：送信データ変換部
１０：受信データ変換部
１１：画像データ変換部
１２：属性データ変換部
１３：属性データ選択手段
１４：レポート送信選択手段
１５：レポート解析手段
１６：ファイル生成手段
１７：符号化／複合化部
１８：変復調部
１９：網制御部
２０：電話回線
【図１】
2006157560.tif 000003
【図２】
2006157560.tif 000004
【図３】
2006157560.tif 000005
【図４】
2006157560.tif 000006